(57)【要約】【課題】  冷蔵庫の棚を提供する。【解決手段】  棚は、１対の金属の棚ブラケットの対向フランジに接合される強化ガラスパネルによって構成される。この棚ブラケットは、冷蔵庫室内の垂直の取り付け棒に取り付けかつそれに沿って調節するためのフックを備えている。接着剤が、棚をかなり強固に一体化した状態に保持する唯一の手段を構成する。各棚ブラケットは、接着剤硬化の間、構成要素間の完全な配列を確実にするために、棚パネルの端部又は把持用部材に当接する少なくとも１つの接触面を含む。各棚ブラケットは１つの棚アーム及び少なくとも１つのフランジから構成されるが、このフランジは接着剤を入れるポケットを有している。棚アームは、さらに付加的に、棚パネルの側端に当接する最上層の突出部及び／又は少なくとも１つの追加フランジを含むことができる。これによって、棚パネルの側端部分を、垂直方向に間隔を有し奥行方向にオフセットされた各棚ブラケットのフランジの組の間に収納することができる。【選択図】      図１
2006275504.tif 000002
【特許請求の範囲】
【請求項１】
１対の金属の棚ブラケット及び１つの棚パネルを含む棚であって、前記棚ブラケットはそれぞれ１つの棚アーム及び１つの棚パネル支持フランジを含み、前記棚アームは互いにほぼ平行に間隔をあける位置関係に配置され、前記棚パネル支持フランジはそれが付属する棚アームにほぼ垂直な実質的に共通の平面内に配置され、前記棚は、又、各棚パネル支持フランジの上面と前記棚パネルの下面との間でこの両者を互いに接着接合する手段を含んでおり、前記接着接合手段は前記棚をかなり強固に一体化した状態に保持する唯一の手段である棚。
【請求項２】
各棚パネル支持フランジが、前記棚パネルの下面を向いた方向に開いている少なくとも１つの容積部分を形成する手段を含み、前記接着接合手段が前記容積部分手段の中に少なくとも部分的に注入される請求項１に記載の棚。
【請求項３】
各棚アームが、その棚パネル支持フランジを超えて上方に突き出る少なくとも１つの上端部分を含み、前記棚パネルの各反対側の端部が、隣接する棚アームの上端部分に接する請求項１に記載の棚。
【請求項４】
前記棚パネルを各棚ブラケットに対して位置決めするための、各棚ブラケットに付属する手段を含む請求項１に記載の棚。
【請求項５】
各棚アームが奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含む請求項１に記載の棚。
【請求項６】
各棚アームが奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含み、各棚ブラケットの前記棚パネル支持フランジ及び第２フランジは互いに対して奥行方向にオフセットされている請求項１に記載の棚。
【請求項７】
各棚アームが奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含み、各棚ブラケットの前記棚パネル支持フランジ及び第２フランジは互いに対して奥行方向にオフセットされ、各棚ブラケットは前記棚パネル支持フランジ及び前記第２フランジの少なくとも１つの追加分を含み、前記棚ブラケットの前記１つの追加分のフランジは前記共通平面のいずれかの平面内にある請求項１に記載の棚。
【請求項８】
各棚アームが奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含み、各棚ブラケットの前記棚パネル支持フランジ及び第２フランジは互いに対して奥行方向にオフセットされ、各棚ブラケットは前記棚パネル支持フランジの１つの追加分を含み、前記追加棚パネル支持フランジは前記最初に述べた共通平面内にある請求項１に記載の棚。
【請求項９】
各棚アームが奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含み、各棚ブラケットの前記棚パネル支持フランジ及び第２フランジは互いに対して奥行方向にオフセットされ、各棚ブラケットは前記第２フランジの１つの追加分を含み、前記追加第２フランジは前記最初に述べた第２フランジの共通平面内にある請求項１に記載の棚。
【請求項１０】
各棚アームが奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含み、各棚ブラケットの前記棚パネル支持フランジ及び第２フランジは互いに対して奥行方向にオフセットされ、各棚ブラケットは前記棚パネル支持フランジの１つの追加分を含み、前記追加棚パネル支持フランジは前記最初に述べた共通平面内にあり、各棚ブラケットはさらに前記第２フランジの１つの追加分を含み、前記追加第２フランジは前記最初に述べた第２フランジの共通平面内にある請求項１に記載の棚。
【請求項１１】
前記棚パネルが強化ガラスである請求項１に記載の棚。
【請求項１２】
前記棚パネルが前端部分及び後端部分を含み、重合体／共重合体の前方の把持部材が溝を有しており、前記棚パネルの前端部分がその溝の中に配置される請求項１に記載の棚。
【請求項１３】
各棚アームが、その棚パネル支持フランジを超えて上方に突き出る少なくとも１つの上端部分を含み、前記棚パネルの各反対側の端部が、隣接する棚アームの上端部分に接し、各棚パネル支持体の上端部分の上部の終端が、前記棚パネルの上面の平面に実質的に共通な平面内にある請求項１に記載の棚。
【請求項１４】
各棚アームが、その棚パネル支持フランジを超えて上方に突き出る少なくとも１つの上端部分を含み、前記棚パネルの各反対側の端部が、隣接する棚アームの上端部分に接する請求項２に記載の棚。
【請求項１５】
前記棚パネルを各棚ブラケットに対して位置決めするための、各棚ブラケットに付属する手段を含む請求項２に記載の棚。
【請求項１６】
各棚アームが奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含む請求項２に記載の棚。
【請求項１７】
前記棚パネルを各棚ブラケットに対して位置決めするための、各棚ブラケットに付属する手段を含む請求項３に記載の棚。
【請求項１８】
各棚アームが奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含む請求項３に記載の棚。
【請求項１９】
前記棚パネルの位置決め手段が、各棚アームの接触手段で、前記棚パネルに接する接触手段によって構成される請求項４に記載の棚。
【請求項２０】
前記棚パネルの位置決め手段が、各棚アームの前端部分における接触手段で、前記棚パネルに接する接触手段によって構成される請求項４に記載の棚。
【請求項２１】
前記棚パネルの位置決め手段が、各棚アームの後端部分における接触手段で、前記棚パネルに接する接触手段によって構成される請求項４に記載の棚。
【請求項２２】
前記棚パネルの位置決め手段が、各棚アームの前端及び後端部分における接触手段で、前記棚パネルに接する接触手段によって構成される請求項４に記載の棚。
【請求項２３】
前記棚パネルの位置決め手段が、前記各棚アームの端部によって構成される請求項４に記載の棚。
【請求項２４】
前記棚パネルの位置決め手段が、各棚アームの前端に接する位置にある各棚アームの端部によって構成される請求項４に記載の棚。
【請求項２５】
前記棚パネルの位置決め手段が、各棚アームの後端に接する位置にある各棚アームの端部によって構成される請求項４に記載の棚。
【請求項２６】
前記棚パネルの位置決め手段が、各棚アームのそれぞれ前端及び後端に接する位置にある各棚アームの１対の端部によって構成される請求項４に記載の棚。
【請求項２７】
前記棚パネルの位置決め手段が、各棚ブラケットの金属から形成された接触用突出部で、前記棚パネルの前端及び後端の少なくともいずれかと接する接触用突出部である請求項４に記載の棚。
【請求項２８】
前記棚パネルの位置決め手段が、各棚ブラケットの金属から形成された接触用突出部で、前記棚パネルの後端と接する接触用突出部である請求項４に記載の棚。
【請求項２９】
前記棚パネルの位置決め手段が、各棚ブラケットの金属から形成された接触用小突起で、前記棚パネルの前端及び後端の少なくともいずれかと接する接触用小突起である請求項４に記載の棚。
【請求項３０】
前記棚パネルの位置決め手段が、各棚ブラケットの金属から形成された接触用小突起で、前記棚パネルの後端と接する接触用小突起である請求項４に記載の棚。
【請求項３１】
前記棚パネルを各棚ブラケットに対して位置決めするための、各棚ブラケットに付属する手段を含む請求項５に記載の棚。
【請求項３２】
前記棚パネルを各棚ブラケットに対して位置決めするための、各棚ブラケットに付属する手段を含む請求項６に記載の棚。
【請求項３３】
前記棚パネルを各棚ブラケットに対して位置決めするための、各棚ブラケットに付属する手段を含む請求項７に記載の棚。
【請求項３４】
前記棚パネルを各棚ブラケットに対して位置決めするための、各棚ブラケットに付属する手段を含む請求項８に記載の棚。
【請求項３５】
前記棚パネルを各棚ブラケットに対して位置決めするための、各棚ブラケットに付属する手段を含む請求項９に記載の棚。
【請求項３６】
前記棚パネルを各棚ブラケットに対して位置決めするための、各棚ブラケットに付属する手段を含む請求項１０に記載の棚。
【請求項３７】
前記棚パネルの位置決め手段が、各棚アームの接触手段で、前記棚パネルに接する接触手段によって構成される請求項３１に記載の棚。
【請求項３８】
前記棚パネルの位置決め手段が、前記各棚アームの端部によって構成される請求項３１に記載の棚。
【請求項３９】
前記棚パネルの位置決め手段が、各棚アームの前端に接する位置にある各棚アームの端部によって構成される請求項３１に記載の棚。
【請求項４０】
前記棚パネルの位置決め手段が、各棚アームの後端に接する位置にある各棚アームの端部によって構成される請求項３１に記載の棚。
【請求項４１】
前記棚パネルの位置決め手段が、各棚アームのそれぞれ前端及び後端に接する位置にある各棚アームの１対の端部によって構成される請求項３１に記載の棚。
【請求項４２】
前記棚パネルの位置決め手段が、各棚ブラケットの金属から形成された接触用突出部で、前記棚パネルの前端及び後端の少なくともいずれかと接する接触用突出部である請求項３１に記載の棚。
【請求項４３】
１対の金属の棚ブラケット及び１つの棚パネルを含む棚であって、前記棚ブラケットはそれぞれ１つの棚アーム及び１つの棚パネル支持フランジを含み、前記棚アームは互いにほぼ平行に間隔をあける位置関係に配置され、前記棚パネル支持フランジはそれが付属する棚アームにほぼ垂直な実質的に共通の平面内に配置され、前記棚は、又、各棚パネル支持フランジの上面と前記棚パネルの下面との間でこの両者を互いに接着接合する手段を含んでおり、各棚アームは奥行方向に延びる上端部分を含み、各棚パネル支持フランジはそれが付属する奥行方向に延びる上端部分の一部分によって構成され、各棚ブラケットは少なくとも１つの第２フランジを含み、前記少なくとも１つの第２フランジはそれが付属する棚アームにほぼ垂直な実質的に共通の平面内に配置され、前記共通平面は前記棚パネルの厚さにほぼ合致する距離を定め、前記棚パネルは、それぞれ１つの前記棚パネル支持フランジ及び第２フランジの間にそれぞれ配置される側端部分を含む棚。
【請求項４４】
各棚の前記棚パネル支持フランジ及び第２フランジが互いに対して奥行方向にオフセットされている請求項４３に記載の棚。
【請求項４５】
１対の金属の棚ブラケット及び１つの棚パネルを含む棚であって、前記棚ブラケットはそれぞれ１つの棚アーム及び１つの棚パネル支持フランジを含み、前記棚アームは互いにほぼ平行に間隔をあける位置関係に配置され、前記棚パネル支持フランジはそれが付属する棚アームにほぼ垂直な実質的に共通の平面内に配置され、前記棚は、又、各棚パネル支持フランジの上面と前記棚パネルの下面との間でこの両者を互いに接着接合する手段を含んでおり、各棚アームは、その棚パネル支持フランジを超えて上方に突き出る少なくとも１つの上端部分を含み、前記棚パネルの各反対側の端部が、隣接する棚アームの上端部分に接する棚。
【請求項４６】
１対の金属の棚ブラケット及び１つの強化ガラスの棚パネルを含む棚であって、前記棚パネルは少なくとも１対のほぼ平行な反対向きの研磨端を有しており、前記棚ブラケットはそれぞれ１つの棚アーム及び１つの棚パネル支持フランジを含み、前記棚アームは互いにほぼ平行に間隔をあける位置関係に配置され、前記棚パネル支持フランジはそれが付属する棚アームにほぼ垂直な実質的に共通の平面内に配置され、前記棚は、又、各棚パネル支持フランジの上面と前記棚パネルの下面との間でこの両者を互いに接着接合する手段を含んでおり、この接着接合手段は前記棚をかなり強固に一体化した状態に保持する唯一の手段である棚。
【請求項４７】
前記研磨端が前記棚パネルの側端である請求項４６に記載の棚。
【請求項４８】
前記研磨端が前記棚パネルの側端であり、前記棚パネルの前端部分には前方の把持部材が装着される請求項４６に記載の棚。
【発明の詳細な説明】
【技術分野】
【０００１】
本発明は冷蔵庫及びその類似品用の棚段に関する。しかし、それは、１対の棚ブラケット及びその間に支持される１枚の棚パネルによって構成される片持ち棚として、ほとんどあらゆる種類の家具に関連する本棚又は棚用に同様に使用することができる。
【背景技術】
【０００２】
特に冷蔵庫用に設計された棚はよく周知されており、その典型的なものが（特許文献１）の図１の片持ち棚である。この片持ち棚は、平面の強化ガラスの棚部材又はパネルと、１対の金属の支持ブラケットとから構成される。これらの棚部材及び支持ブラケットは、型成形された重合体／共重合体合成樹脂の熱可塑性材料の被包材もしくは周縁材によって相互に一体化される。この周縁材は、ガラスの棚部材又はパネルの端部の全周に成形され、その棚又は棚の組立品を関連する冷蔵庫の室内に用いる場合に生じる製品からの流出液を閉じ込める流出液用の堰を形成する。このような被包棚は、（特許文献１）の出願の承継人によって独占的に製造販売され、高級／高価な冷蔵庫に広く使用されてきた。それは、この棚が、棚の剛性、製品の液滴／流出液の防護、及び、ガラスの棚パネルまでの棚ブラケットの射出成形又は被包加工によって実現されるきわめて魅力的な美的概観という利点を有しているからである。
【０００３】
（特許文献１）の図４６は、もう１つの片持ち棚組立品を開示している。この棚組立品においては、重合体／共重合体合成樹脂材料の周縁材もしくは被包材が、１枚の強化ガラスの端部を全体的に包摂すると共に、一般的には多角形のワイヤフレームの前部及び後部フレーム部材に被包材もしくは周縁材のクリップによってクリップ取り付けされている。この多角形のワイヤフレームは、側部のフレームブラケットと、棚組立品を冷蔵庫室内の従来型細長孔付き垂直取り付け棒に固定するための付属フックとを含んでいる。後者の棚組立品の美的外観は最初に述べた棚組立品の美的外観よりは劣るが、製造及び組み立てのコストは、特に賃金、福祉等が低い米国以外の国で手組み立てを行う場合は低くすることができる。しかし、後者の棚組立品は液体用の堰又は非滴下機能を保持しており、この機能は、特に棚を垂直に調節する際に滴下又は漏洩する傾向のある製品を載せる可能性がある片持ち棚の場合には特に望ましい特徴である。
【０００４】
（特許文献１）の金属の棚ブラケット又は多角形の金属ワイヤフレームの代わりに、（特許文献２）は、ただ２つの材料部品から形成される冷蔵庫の棚、すなわち、重合体／共重合体合成樹脂材料から射出成形された１つの部品としての一体型フレーム／被包材／周縁材と、それと結合されたガラスの棚パネルとからなる冷蔵庫の棚を開示している。この一体型フレーム／被包材／周縁材は、一体型の棚ブラケットと被包材／周縁材によって構成される支持フックとを含んでいる。この棚組立品は、（特許文献１）に関して最初に述べた棚組立品のすべての長所を含み、しかも、別個の金属の棚ブラケットを好ましくも不要なものとしている。しかし、被包材の全周及び特に側部の棚アームを、マイナスの影響を有する被捩り性を避けるために補強しなければならない。重合体／共重合体の棚アームを極端に薄くすると、この好ましくない被捩り性が現れてくる可能性がある。従って、（特許文献２）の棚組立品は手組み立てのコストを不要にしているが、この利点が、周縁材／被包材を効果的に高剛性化／補強するために、周縁材／被包材の射出成形において使用される重合体／共重合体材料の付加コストによって相殺されてしまう可能性がある。明らかに、このような従来材料は石油からの誘導品であり、その利用可能性及び価格安定性は、共に、特に長期の顧客購入契約の下ではごく普通であるような１年以上の将来にわたる棚の製造コストを見積もる場合に、常に問題となってきた。
【０００５】
比較的簡単な冷蔵庫の棚が（特許文献３）に見出される。この冷蔵庫の棚は、１対の金属の片持ち棚支持体又はブラケットを含んでおり、この支持体又はブラケットは剛性の後部支持ロッド又は交差部材によって相互に強固に連結されている。ガラスの棚は後部の棚保持器に挿入されるが、この棚保持器は、後部ロッドに係合する下向きに開いたＵ字型のクリップを備えている。Ｕ字型の前部交差部材も、片持ち棚支持体の前端又は自由端間に強固に固定される。棚の形成に必要な種々の部品に関しては比較的簡単であるが、前部及び後部の交差部材の棚ブラケットへの溶接にコストが掛かり、これは、押し出し成形される後部クリップの複雑な構造部分についても同様である。
【特許文献１】米国特許第５，３６２，１４５号明細書
【特許文献２】米国特許第６，４８８，３４７号明細書
【特許文献３】米国特許第４，９２３，２６０号明細書
【発明の開示】
【発明が解決しようとする課題】
【０００６】
（特許文献３）の特許及び（特許文献２）に追加的に規定されている特許が、片持ち棚技術の現状を構成しており、本発明は、それらに対して新規かつ進歩性のある変更を行おうとするものである。
【０００７】
前記の点は保持しながら、新規の棚、特に冷蔵庫室内で従来型の細長孔付き取り付け棒に対してフック掛けできるように調整されかつ垂直調節される片持ち棚が、１対の金属の棚ブラケットと、好ましくは強化ガラス製の棚パネルと、この３つの棚の構成要素を実質的に剛接して１つに結合する接着剤とから製造される。金属シートの平板から適切に打ち抜き又は切断され、輪郭取り／曲げ加工され、もし要すれば塗装されるただ２つの金属棚ブラケットを使用しており、棚ブラケットのフランジの上面を対向する強化ガラスパネルの下面に強固に接着するには接合材が用いられる。各棚ブラケットのフランジは、上向きに開いた容積部分又はポケットを好適に含んでいる。ガラスパネルの側端をフランジに組み付ける際に、接着剤又は接合材をこの容積部分又はポケットに入れて、接着剤／接合材がフランジの内側又は外側の横方向に押し出されないようにすることができる。これによって、接着剤／接合材が、フランジの内側又は外側に目視できる程には押し出されないので外観の美しさが向上する。
【０００８】
さらに本発明によれば、各ブラケットの各片持ち棚アームが少なくとも１つの突出部を含んでいる。その突出部は、その突出部が強化ガラスパネルの側端と当接するように、ブラケットの付属フランジを超えて上方に突き出ており、その棚ブラケットの長さに沿う取り付けを強化して、それによって、接着で強固に一体化された棚の望ましくない捩りが生じないようにする。
【０００９】
さらに本発明によれば、各棚アームが、第１フランジの上部に間隔をおいて配置される第２フランジで、第１フランジから奥行方向にオフセットされている少なくとも１つの第２フランジを含んでいる。この第１及び第２のフランジは、両者が共同して、その間に収納される強化ガラスパネルの側端部分に対する上部及び下部支持体となる。本発明の棚は、又、接着剤の乾燥／接合機能の進行に伴う構成部品の完全な配列を確実にするため、強化ガラスの棚パネルを各棚ブラケットに対して位置決めする手段をも含んでいる。これによって金属の棚アーム又はブラケット間のほぼ完全な平行度が確保され、棚の対捩り特性及び剛性が強化される。
【発明を実施するための最良の形態】
【００１０】
前記の目標、及び以下に明らかになるであろう他の考えられる目標と共に、本発明の本質が、以下の詳細説明、特許請求の範囲、及び添付の図面に表現されるいくつかの構造例によってさらに明確に理解されるであろう。
【００１１】
本発明に従って構成される新しい片持ち棚又は棚組立品で、特に冷蔵庫の新鮮食品室又は冷凍食品室内の使用に適応するように構成され、冷蔵庫内の細長孔付き垂直取り付け棒に取り付けられる片持ち棚又は棚組立品が図１〜５に示されており、これが全体として参照符号１０で表されている。
【００１２】
棚１０は、３つの基本的な構成要素、すなわち棚パネル１１及び１対の金属の側部片持ち棚ブラケット１２、１３と、棚パネル１１に装着される前方の把持部材１４及び後方の製品保持部材１５の形の２次的な構成要素とから構成される。
【００１３】
棚パネル１１は、１枚の多角形の透明な強化ガラスから構成するのが望ましい。この多角形の強化ガラスは、互いにほぼ平行関係にあるそれぞれの側端１８、１９を有する側端部分１６、１７と、これも互いにほぼ平行関係にある前端及び後端２２、２３（図３及び図５）をそれぞれ有する前端部分及び後端部分２０、２１とから構成される。棚パネル１１は、又、ほぼ平面の上面２４及びほぼ平面の下面２５も含んでいる。各端部１８、１９、２２、２３は研磨するのが好ましく、又、場合によっては部材１４、１５のいずれかあるいは両方を取り除くことができる。
【００１４】
金属の棚ブラケット１２、１３は、互いにほぼ同一であり、それぞれ金属材料の平面シートから切断又は打ち抜き加工され、図２及び図４に最もよく表現される形状及び断面に成形される。各棚ブラケット１２、１３は、それぞれの後端部分３２、３３及びそれぞれの前端部分３４、３５を有する比較的平坦な片持ち棚アーム３０、３１を含む。各棚アーム３０、３１の後端部分３２、３３は、それぞれ、補強されたフック３６、３７と突出部３８、３９を具備しており、これらは、冷蔵庫室内の垂直取り付け棒（図示なし）の細長孔に棚１０を従来の方式で固定するために用いられる。この様子は、特に（特許文献１）の図１に示されている。
【００１５】
各棚ブラケット１２、１３は、さらに、棚パネル支持フランジ４０、４１をそれぞれ含んでいる。このフランジは、図２に明らかなように互いに向き合って横方向に突き出ている。棚パネル支持フランジ４０、４１は同一であるので、棚パネル支持フランジ４０に関する直接の説明が、棚パネル支持フランジ４１にも等しく当てはまる。棚パネル支持フランジ４０（図４）は、棚アーム３０の上部の奥行方向部分（符号なし）に隣接する内側のフランジ部分４２と、側方の終端４４で終わる外側のフランジ部分４３と、フランジ部分４２、４３間の中間部分で、全体として上向きに開放されたＵ字型の横方向断面形状を有する中間フランジ部分４５とを含んでいる。このＵ字型の横方向断面形状は、棚パネル１１及び棚ブラケット１２、１３の組み立てと接合との際に構造用接着剤手段Ａが導入される容積部分又はポケット４６を構成する。これについて以下に完全に説明する。
【００１６】
平面Ｐ１（図４）は、それぞれ内側及び外側のフランジ部分４２、４３の上面（符号なし）に共通であり、又、棚パネル１１の下面２５にも共通である。
【００１７】
各棚パネル支持フランジ４０、４１は、それぞれの棚パネル支持フランジ４０、４１の最前端及び最後端によって構成される位置決め手段５０、５１（図２、図３及び図５）を含んでいる。この位置決め手段５０、５１は、接着剤Ａが硬化して、棚ブラケット１２、１３間の平行度と、棚パネル１１の側端１８、１９の棚ブラケット１２、１３に対する平行度と、棚アーム３０、３１及び棚パネル１１間の凡その垂直度とを確立する時間まで、棚パネル１１を棚ブラケット１２、１３に対して正確に位置決めするためのものである。
【００１８】
前方の把持部材１４及び製品保持部材１５は、それぞれ棚パネル１１の前端部分及び後端部分２０、２１の上に射出成形することができるし、あるいは、それを製造して、棚パネル１１のそれぞれの端部２０、２１にそれを差し込むことによって後組み立てすることもできる。部材１４、１５は、相互に距離Ｄ１を隔てた横方向の下端５２、５３（図３及び図５）を有している。距離Ｄ１は、棚パネル支持フランジ４０、４１の位置決め手段５０、５１間のほぼ同一の距離Ｄ１（図２）に等しい。従って、棚パネル１１が棚ブラケット１２、１３に対して組み付けられ、横方向部材１４、１５の横方向端部５２、５３が、それぞれ当接し、それによってそれぞれ各棚ブラケット１２、１３の位置決め手段又は端部５０、５１によって位置決めされることになるであろう。棚パネル１１の棚ブラケット１２、１３への組み付けは、図２において、棚ブラケット１２、１３を棚パネル１１に向かって図１の位置に動かすことを想像すれば容易に視覚的に理解される。接着剤Ａは、ガラスの棚パネル１１の下面２５が図４の位置に置かれる前に、各棚パネル支持フランジ４０、４１のポケット４６の中に注入するのが望ましい。接着剤Ａは、組み付け前に、各容積部分又はポケット４６の全長と平面Ｐ１（図４）の僅かに上部に広がることができる。図４に示されてはいないが図４から分かるように、一般的には円筒形の断面形状を有する接着剤Ａの液滴ビードが、表面張力によって上表面が平面Ｐ１から僅かに盛り上がった形で維持されるであろう。引き続いて、ガラスの棚パネル１１の下面２５をフランジ部分４２、４３の上に置いてそれと接触させると、接着剤Ａの液滴ビードは、平坦化されて両側の側方に拡大するであろうが、フランジ部分４２、４３のいずれかを超えて、それぞれ外側及び内側の側方に押し出され又は搾り出されることはないであろう。これは、棚支持フランジ端４４の内側の範囲、及び／又は、棚の端部１８、１９とそれぞれのブラケットアーム３０、３１との間の継ぎ目の外側の範囲から、押し出された接着剤Ａを綺麗に取り除くことを不要にするためにきわめて望ましい特性である。しかし、このような押し出し現象は、本発明に従って、図２に示すように、接着剤Ａの液滴ビードを各ポケット又は容積部分４６に沿って相互に間隔をあけて注入すれば生じなくなるであろう。この場合は、もし接着剤Ａが、棚パネル支持フランジ４０、４１のポケット４６内で過剰にあれば、Ｕ字型のフランジ壁部分４５がもたらす横方向の対流動／摩擦抵抗に対比して奥行方向の流動抵抗が遥かに小さいので、接着剤Ａは、ポケット４６に沿って奥行方向に押され、押し出され、あるいは搾り出されるであろう。従って、ポケット４６が、ポケット４６から接着剤Ａが横方向のいずれかの方向に押し出され又は流出することを防ぐ手段を構成すると共に、接着剤Ａのポケット４６の長さ方向に沿う奥行方向の押し出し又は流動を促進する手段となり、それによって棚１０の外観の美しさが確保される。
【００１９】
接着剤Ａは、好ましくはＡＭ−４７のような構造用接着剤／シーラントとする。これは、高い強度と優れた接着力を有する一方で、強靭であり、弾性があり、耐水性を備えている。これらの性質はすべて、一般的な凝縮及び製品からの漏洩の両者によって通常特に冷蔵庫室内に関連する湿分を勘案した場合、冷蔵庫室内で棚１０を使用する際に必要な特性である。ＡＭ−４７接着剤は、プライマなしで使用することができ、速く硬化し、収縮量がきわめて小さく、塗料／エナメルと適合し、硬化すると、米国労働安全衛生局（ＯＳＨＡ）の危険有害性の周知基準（Ｈａｚａｒｄｏｕｓ  Ｃｏｍｍｕｎｉｃａｔｉｏｎ  Ｓｔａｎｄａｒｄ）のようなあらゆる米国の連邦規制を満足する。
【００２０】
本発明に従って構成されるもう１つの新しい片持ち棚又は棚組立品で、これも特に冷蔵庫の新鮮食品室又は冷凍食品室内の使用に適応するように構成され、冷蔵庫内の細長孔付き垂直取り付け棒に取り付けられる片持ち棚又は棚組立品が図６〜１０に示されており、これが全体として参照符号１００で示されている。棚組立品１０の同じ構成部品に対応する棚組立品１００の構成部品には、同じものであることを特に記述しなくても同一の構造体であることを確認するために、接頭番号“１００”を付している。ところで、棚１００は、棚又は棚組立品１０の場合と同様に、３つの基本的な構成要素、すなわち棚パネル１１１及び１対の金属の側部片持ち棚ブラケット１１２、１１３と、棚パネル１１１に装着される前方の把持部材１１４及び後方の製品保持部材１１５の形の２次的な構成要素とから構成される。
【００２１】
２つの棚１０、１００の間の最も重要な違いは、棚ブラケット１２、１３がそれぞれ単一の比較的長い棚パネル支持フランジ４０、４１を含んでいるのに対して、棚１００の対応する棚ブラケット１１２、１１３は、それぞれ、１対の棚パネル支持フランジ１４０、１４０；１４１、１４１を含んでいるという点にある。棚パネル支持フランジ１４０、１４０は、反対側の棚パネル支持フランジ１４１、１４１に対向する位置関係にある。これは、図７及び図１０を対比すると容易に見て取ることができる。棚パネル支持フランジ１４０、１４１の上面（番号なし）は、図４の平面Ｐ１に相当する共通平面内にあり、この共通平面はガラスパネル１１１の下面１２５の平面（図８及び図９）に一致する。各棚パネル支持フランジ１４０、１４１は、上向きに開放された容積部分又はポケット１４６を構成し、その中に、棚１０に関して前記した場合と同様に、組み立てと接合作業との際に構造用接着剤Ａが導入される。しかし、棚又は棚組立品１００は、又、それぞれの棚アーム３０、３１の上端部分又は上部突出部の形の位置決め手段１４７、１４８及び１４９をも含んでいる。この位置決め手段１４７、１４８及び１４９は、奥行方向の共通の最上端又は最上端部分１６０まで延びている。
【００２２】
図９に最もよく表現されているように、ガラスパネル１１１の上面１２４を水平に通る平面は、上方への突出部分１４７、１４８、１４９の共通の端部１６０をも通る。パネル支持フランジ１４０、１４１は、それぞれの棚ブラケット１１２、１１３の前端部分１３４、１３５においては、上方への突出部分又は上方への突出端部１４７、１４８の間に配置され、一方、それぞれの棚ブラケット１１２、１１３の後端部分１３２、１３３においては、上方へ向いた突出部分又は突出端部１４７、１４９の間に位置している。突出部分１４７〜１４９は、棚パネル１１１を接着剤Ａによってフランジ１４０、１４０；１４１、１４１上に接合する際に、棚パネル１１１に対する接触手段又は位置決め手段を構成する。ガラスパネル１１１の側端１１８、１１９は、それぞれの棚ブラケット１１２、１１３の平坦な棚アーム１３０、１３１の内側の面（番号なし）に隣接または接触する位置関係に置かれる。この様子は図９によく表現されている。この接触によって、側部の棚ブラケット１１２、１１３が、接着剤Ａが固まるかあるいは硬化する時間まで、互いに平行でかつ又ガラスパネル１１１を通る水平面に垂直な位置関係に置かれることが保証される。接着剤Ａが硬化してしまうと、各棚ブラケット１１２、１１３の長さ方向と棚パネル１１１の側端部分１１６、１１７とに沿ったきわめて強固な直角結合が得られ、垂直の位置調節の間及び／又は製品を載せた時に、変形、反り、捩り等が生じないきわめて強固な棚１００が形成される。
【００２３】
本発明に従って構成されるもう１つの新しい片持ち棚又は棚組立品が図１１〜１６に示されており、これが全体として参照符号２００で示されている。棚組立品又は棚１０及び１００の同じ構成部品に対応する棚組立品２００の構成部品は、二重の記述を避けるために同様の参照符号が付されている。
【００２４】
棚又は棚組立品２００は、３つの点で棚１０、１００と異なっている。すなわち、（１）金属の各棚ブラケット２１２、２１３が、ただ１対の上方への突出端部又は上方への突出部２４８、２４９のみを含んでおり、この結果、各棚ブラケット２１２、２１３に沿って間隔配置される３つの棚パネル支持フランジ２３９、２４０及び２４１が設けられること、（２）上端の突出部２４８、２４９の最上端部分２６０が、内側に折り曲げられて互いに向き合う位置関係に配列され（図１１）、ガラスパネル２１１に覆い被さる位置関係に成形されること、及び、（３）各棚ブラケット２１２、２１３が小突起片の形の位置決め手段２５１を含んでおり、この小突起片手段２５１は、対応する棚パネル支持フランジ２３９、２４０に対して約４５°の角度（図１６）で、ガラスパネル２１１の後端２２３と同一面上にありかつこれと接触するように配置されること、の３点である。
【００２５】
図１３から容易に明らかなように、フランジ２６０、２３９；２６０、２４０及び２６０、２４１の間にガラスパネル２１１の側端部分２１６、２１７が隙間なく嵌め込まれるので、接着剤Ａの固結／硬化と同時に、棚２００に付加的な剛性が加えられる。この付加的な剛性は、各棚ブラケット２１２、２１３に付属する３つのすべての棚パネル支持フランジ２３９、２４０及び２４１の容積部分に注入することができる追加的な接着剤によってさらに増進される。これによって、２対の比較的短い棚パネル支持フランジ１４０、１４１（図７及び図１０）だけしか含まない棚１００の場合に対して、剛性が追加強化される。最後に、位置決めフランジ又は小突起片２５１によって、ガラス棚２１１が、図１２及び図１５に示す位置から、棚ブラケット２１２、２１３に対して左側には動き得ないことが保証され、すべての構成要素が上記のような所要の平行／垂直な位置関係において組み立てられることが、さらに確実になる。
【００２６】
以上、本発明の好ましい実施形態を特定して図示しかつ説明してきたが、この器具においては、特許請求の範囲に規定される本発明の本質及び範囲から逸脱することなく微小な変更を加え得ることが理解されるべきである。
【図面の簡単な説明】
【００２７】
【図１】本発明に従って構成された新しい片持ち冷蔵庫棚を上から見た透視図である。透明な強化ガラス棚パネルによって間隔をおいて繋がれる１対の金属の棚ブラケットが表現されており、強化ガラスの棚パネルには、それぞれ重合体／共重合体の合成プラスチック材料から成形された前方の把持部材及び後方の製品保持部材が装着されている。
【図２】図１の棚を前方から見た分解透視図で、各棚アームを示している。この棚アームは、その後端のフック及び補強と、内側を向いた棚パネルの支持フランジとを有する比較的平坦な側部棚ブラケットの形態を呈している。支持フランジは、その長さに沿って上向きに開放されたポケットを形成する。
【図３】図１の棚の側面図で、棚ブラケット及び棚パネル支持フランジの前端と、棚パネル支持フランジの後端とを表現している。この両端は、それぞれ前方の把持部材及び後方の製品保持部材に当接しており、接合作業時に、ガラス棚又はガラスパネルを棚ブラケットに対して正確に位置決めする。
【図４】図３の線４−４に概略的に沿った断面の部分拡大図であり、棚パネル支持フランジの上面を、強化ガラス棚パネルの下面に強固に接合するための、フランジのポケットにおける構造用接着剤を示す。
【図５】図１の線５−５に概略的に沿った奥行方向の断面図であり、棚ブラケットの前端及び後端がそれぞれ前方の把持部材及び後方の製品保持部材に当接して、接着剤の硬化中に各棚ブラケットを強化ガラスパネルに対して位置決めする様子をより明確に表現している。
【図６】本発明に従って構成されたもう１つの新しい片持ち冷蔵庫棚を上から見た透視図である。透明な強化ガラス棚パネルによって間隔をおいて繋がれる１対の金属の棚ブラケットが表現されており、強化ガラスの棚パネルには、それぞれ重合体／共重合体の合成プラスチック材料から成形された前方の把持部材及び後方の製品保持部材が装着されている。
【図７】図６の棚の側面図で、棚ブラケット及び棚パネル支持フランジの前端と、棚パネル支持フランジの後端とを表現している。この両端は、それぞれ前方の把持部材及び後方の製品保持部材に当接しており、接合作業時に、ガラス棚又はガラスパネルを棚ブラケットに対して正確に位置決めする。
【図８】図７の線８−８に概略的に沿った断面の部分拡大図であり、棚パネル支持フランジの上面を、強化ガラス棚の下面に強固に接合するための、フランジのポケットにおける構造用接着剤を示す。
【図９】図７の線９−９に概略的に沿った断面の部分拡大図であり、棚パネル支持フランジを強化ガラス棚の下面に強固に接合するポケット内の構造用接着剤と、ガラスパネルを効果的に端部接触配置するための棚ブラケットの最上部の突出部とを示す。
【図１０】図６の線１０−１０に概略的に沿った奥行方向の断面図であり、棚ブラケットの前端及び後端がそれぞれ前方の把持部材及び後方の製品保持部材に当接して、接着剤の硬化中に各棚ブラケットを強化ガラスパネルに対して正確に位置決めする様子をより明確に表現している。
【図１１】本発明に従って構成されたもう１つの新しい片持ち冷蔵庫棚を上から見た透視図である。透明な強化ガラス棚パネルによって間隔をおいて繋がれる１対の金属の棚ブラケットが表現されており、強化ガラスの棚パネルは、重合体／共重合体の合成プラスチック材料から成形された前方の把持部材を備え、かつ、棚パネルの後端と当接する棚ブラケット後端部の位置決め小突起片と係合している。
【図１２】図１１の棚の側面図で、棚ブラケット及び棚パネル支持フランジの前端と、棚ブラケット後端部の位置決め小突起片とを表現している。この両者は、それぞれ前方の把持部材及び棚パネルの後端に当接しており、接合作業時に、ガラス棚又はガラスパネルを棚ブラケットに対して位置決めする。
【図１３】図１２の線１３−１３に概略的に沿った断面の部分拡大図であり、棚パネル支持フランジを強化ガラス棚の下面に強固に接合する棚パネル支持フランジのポケット内の構造用接着剤と、ガラス棚の上面に当接する最上層のフランジとを示す。
【図１４】図１２の線１４−１４に概略的に沿った断面の部分拡大図であり、最上層フランジが設けられていない棚ブラケットの奥行方向部分のポケット内における構造用接着剤を示す。
【図１５】図１１の線１５−１５に概略的に沿った奥行方向の断面図であり、棚ブラケットの前端及び後端部の位置決め小突起片が、それぞれ前方の把持部材及び棚パネルの後端に当接して接着剤の硬化中に各棚ブラケットを棚パネルに対して位置決めする様子と、棚パネル支持フランジ及び上層フランジの奥行方向に交互変化する位置関係とをより明確に表現している。
【図１６】図１２の線１６−１６に概略的に沿った断面の部分拡大図であり、棚ブラケット材料から形成される位置決め突出部又は小突起片が、強化ガラスの棚又はパネルの後部終端と接し合うように位置調整される様子を示す。
【符号の説明】
【００２８】
１０、１００、２００    片持ち棚
１１、１１１、２１１    棚パネル
１２、１１２、２１２    棚ブラケット
１３、１１３、２１３    棚ブラケット
１４、１１４、２１４    把持部材
１５、１１５            製品保持部材
１６、１１６、２１６    側端部分
１７、１１７、２１７    側端部分
１８、１１８、２１８    側端
１９、１１９、２１９    側端
２０、１２０、２２０    前端部分
２１、１２１、２２１    後端部分
２２、１２２、２２２    前端
２３、１２３、２２３    後端
２４、１２４、２２４    上面
２５、１２５、２２５    下面
３０、１３０、２３０    棚アーム
３１、１３１、          棚アーム
３２、１３２、２３２    後端部分
３３、１３３、２３３    後端部分
３４、１３４、２３４    前端部分
３５、１３５            前端部分
３６、１３６、２３６    フック
３７、１３７、２３７    フック
３８、１３８、２３８    突出部
３９                    突出部
４０、１４０、２３９、２４０    棚パネル支持フランジ
４１、１４１、２４１    棚パネル支持フランジ
４２、１４２、２４２    内側フランジ部分
４３、１４３、２４３    外側フランジ部分
４４、１４４            フランジ端
４５、１４５、２４５    Ｕ字型フランジ壁部分
４６、１４６、２４６    容積部分又はポケット
１４７                  上方への突出部分
１４８、２４８          上方への突出部分
１４９、２４９          上方への突出部分
５０、１５０、２５０    位置決め手段
５１、１５１、２５１    位置決め手段
１６０                  共通の最上端
２６０                  最上端部分（第２フランジ）
【図１】
2006275504.tif 000003
【図２】
2006275504.tif 000004
【図３】
2006275504.tif 000005
【図４】
2006275504.tif 000006
【図５】
2006275504.tif 000007
【図６】
2006275504.tif 000008
【図７】
2006275504.tif 000009
【図８】
2006275504.tif 000010
【図９】
2006275504.tif 000011
【図１０】
2006275504.tif 000012
【図１１】
2006275504.tif 000013
【図１２】
2006275504.tif 000014
【図１３】
2006275504.tif 000015
【図１４】
2006275504.tif 000016
【図１５】
2006275504.tif 000017
【図１６】
2006275504.tif 000018
【外国語明細書】
2006275504000001.pdf